(57)【要約】      （修正有）【課題】発注・納品・請求までの一連売買契約の迅速化、省力化を行うことができる予約購買の配送システム等を提供する。【解決手段】インターネットを使用して物品の注文および販売を行うオンラインショッピング等の予約購買の配送システムであり、ＧＰＳおよびＲＦＩＤの技術を使用して配達された商品の現在位置を販売者側が自動的に確認することで、販売者と消費者間をインターネットによる情報共有で、直取引することを可能とする。【選択図】図１
2009230393.tif 000002
【特許請求の範囲】
【請求項１】
インターネットを使用して物品の注文および販売を行うオンラインショッピング等の予約購買の配送システムにおいて、
ＧＰＳおよびＲＦＩＤの技術を使用して配達された商品の現在位置を販売者側が自動的に確認する手段を持つことにより、注文者による受領確認の行為を無くして売買の終了ができることを特徴とする予約購買の配送システム。
【請求項２】
消費者が肥料等生産資材を入手したい時に量販店、ＪＡ等に行くことなしに端末から発注することを特徴とする請求項１記載の予約購買の配送システム。
【請求項３】
販売者が、消費者の所在に拠らず、納品、請求処理を端末から行えることを特徴とする請求項１または２記載の予約購買の配送システム。
【請求項４】
インターネットを使用して物品の注文および販売を行うオンラインショッピング等での予約購買の配送方法において、
ＧＰＳおよびＲＦＩＤの技術を使用して配達された商品の現在位置を販売者側が自動的に確認する手段を持つことにより、注文者による受領確認の行為を無くして売買の終了ができることを特徴とする予約購買の配送方法。
【請求項５】
消費者が肥料等生産資材を入手したい時に量販店、ＪＡ等に行くことなしに端末から発注することを特徴とする請求項４記載の予約購買の配送方法。
【請求項６】
販売者が、消費者の所在に拠らず、納品、請求処理を端末から行えることを特徴とする請求項４または５記載の予約購買の配送方法。
【発明の詳細な説明】
【技術分野】
【０００１】
本発明は、消費者（=主に農業従事者）が量販店、ＪＡ等から肥料等生産資材を入手する方法に関し、特に、量販店、ＪＡ等に行くことなしに肥料等生産資材を注文し、販売者へ発注を行う方法ならびに、販売者が消費者（＝主に農業従事者）不在時であっても、正規な納品、請求処理を行える配送方法に関する。
【背景技術】
【０００２】
図２に示すように、一般に周知の事実である以下の方法が採られている。まず、消費者（＝主に農業従事者）は、量販店、ＪＡ等の発行する予約注文書に肥料等生産資材の注文数を記入し、注文書を送付もしくは持参する。次に、販売者は、消費者の予約注文書に基づき、肥料等生産資材を配送し、消費者不在であれば後日再配送を行い、納品確証を受け取り、請求処理を行う。
【０００３】
関連技術として、注文書の作成や購買発注管理や経費管理などがデータの共有化による社内省力化を図る技術が提案されている。その構成は、インターネットを用いた電子購買方法において、購買者がパーソナルコンピュータをインターネットに接続して購買希望の商品またはサービスの情報を有する購買申請書を電子的に作成して承認権限を有する者にインターネットを介して送付する。承認権限を有する者がパーソナルコンピュータをインターネットに接続して購買申請書をインターネットを介して承認し、承認された購買申請書の情報に基づいて注文書を電子的に作成し、注文書をインターネットを介して商品またはサービスの販売者に送付する（例えば、特許文献１参照）。
【特許文献１】特開２００１−３４４４８７号公報
【発明の開示】
【発明が解決しようとする課題】
【０００４】
しかしながら、上述の関連技術は、消費者（＝主に農業従事者）と販売者（＝量販店、ＪＡ等）間においては、予約注文書、送り状、受領証、を互いの確証として売買取引が成立する。
【０００５】
第一の問題点は、消費者（＝主に農業従事者）が販売者に対して予約注文書を発行し、何らかの方法で送付を行う必要があることである。
【０００６】
第二の問題点は、販売者が消費者（＝主に農業従事者）不在時に注文品の納品確証を取得できず、再度の配送、受領証の取得が必要となることである。繁忙期の農業従事者は１日の大半を作業場所＝田圃で費やす不在ケースが多いからである。
【０００７】
本発明は、以上のような課題を解決するためになされたもので、ＲＦＩＤタグとインターネット技術等を活用し、発注・納品・請求までの一連売買契約の迅速化、省力化を行うことができる予約購買の配送システムおよび予約購買の配送方法を提供することを目的とする。
【課題を解決するための手段】
【０００８】
本発明の予約購買の配送システムは、インターネットを使用して物品の注文および販売を行うオンラインショッピング等の予約購買の配送システムにおいて、
ＧＰＳおよびＲＦＩＤの技術を使用して配達された商品の現在位置を販売者側が自動的に確認する手段を持つことにより、注文者による受領確認の行為を無くして売買の終了ができることを特徴とする。
【０００９】
また、本発明の予約購買の配送方法は、インターネットを使用して物品の注文および販売を行うオンラインショッピング等での予約購買の配送方法において、
ＧＰＳおよびＲＦＩＤの技術を使用して配達された商品の現在位置を販売者側が自動的に確認する手段を持つことにより、注文者による受領確認の行為を無くして売買の終了ができることを特徴とする。
【発明の効果】
【００１０】
本発明によれば、消費者（＝主に農業従事者）と販売者（＝量販店、ＪＡ等）間でインターネットとＲＦＩＤタグの位置認証技術を利用し、両者のタイムラグを最小限に抑えることで迅速な売買契約を実現することができる。
【発明を実施するための最良の形態】
【００１１】
以下、本発明の第一の実施の形態について図面を参照して詳細に説明する。図１に示す本実施の形態における予約購買の配送システムにおける予約購買の配送方法は、以下の手順となる。
【００１２】
（ステップ１）販売者が利用する販売者端末１０１は、インターネット網１０３で情報公開可能な資産を有する管理業者の情報機器に対し、受注可能な生産資材情報を登録する。
【００１３】
（ステップ２）消費者が利用する消費者端末１０２は、インターネット網１０３を通じて登録された生産資材情報を検索する。
【００１４】
（ステップ３）消費者は、検索情報に対し購入を希望する数量を発注情報として登録する。
【００１５】
（ステップ４）販売者は、インターネット網を１０３通じて受注情報を確認する。
【００１６】
（ステップ５）販売者は、受注情報に基づき消費者への納品情報をＲＦＩＤタグ１０４に登録し、配送品に添付して配送を行う。
【００１７】
（ステップ６）販売者は、消費者の所在に拠らず、受注時に指定された配送場所へ納品物を収納する。
【００１８】
（ステップ７）販売者は、ＧＰＳ１０５が利用のＲＦＩＤタグ情報を基に、受注時に指定された配送場所に商品が収納されたことを確認し、供給計上処理を行う。
【００１９】
（ステップ８）販売者は、後日、代金請求を行う。
【００２０】
（ステップ９）消費者は請求内容に応じて、代金を支払う。
【００２１】
以下、各構成部分の動作について詳細に記述する。
第一は、販売者が、提供可能な生産資材をインターネット網・管理業者の情報機器に登録する場合の方法である。インターネット網・管理業者の情報機器への利用者登録を行い販売可能な生産資材の情報（価格、成分、効能、納期、等）を登録する。
【００２２】
第二は、消費者が購入を希望する生産資材をインターネット網・管理業者の情報機器から検索する場合の方法である。インターネット網と通じて、管理業者の情報機器から最適な製品を検索し特定する。
【００２３】
第三は、消費者の発注方法である。検索した情報をもとに代金、納期等を確認の上、必要数を登録する。
【００２４】
第四は、販売者の受注方法である。インターネット網を通じて、管理業者の情報機器から受注状況を確認する。
【００２５】
第五は、受注情報に基づくＲＦＩＤタグへの情報登録である。販売者は受注情報と予めＤＢ化されている顧客情報に基づきＲＦＩＤタグに商品情報、数量、価格、住所、納品日時、納品場所等の情報をタグライターにより登録する。
【００２６】
第六は、受注情報に基づく消費者への配送である。販売者はＲＦＩＤタグを商品に添付し、タグの登録情報に基づき消費者の指定場所へ商品の収納を行う。
【００２７】
第七は、納品確認に基づく供給計上処理である。販売者はＧＰＳ利用のＲＦＩＤ位置情報に基づき、商品引渡しの完了を確認後、正式な供給計上処理を行う。
【００２８】
第八は、代金の請求である。販売者は後日、受注時の条件に基づく代金、支払期限、等に応じた請求を消費者に通知する。
【００２９】
第九は、代金の支払である。消費者は、販売者からの請求通知に応じて、販売者に代金の支払を行う。
【００３０】
なお、上記の第八と第九において、即ち、代金の請求と支払についてであるが、販売者と消費者間で事前の合意がなされている場合は、インターネット網による請求、及び、代金の支払も実施可能である。
【００３１】
上記の本実施の形態によれば、量販店，ＪＡ等に行かなくても生産資材を入手可能にする手段を提供できる。また、販売者が消費者の所在に係り無く、１回の配送で商品引渡しを完了できる。これにより再配送の撤廃により経費削減が図れる。
【００３２】
さらに、１）予約注文書の集配工数の削減
インターネットを通じた消費者（＝主に農業従事者）への商品情報提供により、予約注文書の配送（＝量販店、ＪＡ等）、予約注文書の返送（＝消費者：農業従事者）の省力化、迅速化が図れる。
【００３３】
２）消費者（＝農業従事者）不在時の再配送工数の削減
ＲＦＩＤタグの位置認証技術により、販売者（量販店、ＪＡ等）は消費者不在時においても倉庫への納品を完了でき、再配送工数の削減が図れる。
【００３４】
なお、上述する各実施の形態は、本発明の好適な実施の形態であり、本発明の要旨を逸脱しない範囲内において種々変更実施が可能である。
【図面の簡単な説明】
【００３５】
【図１】本発明の実施の形態に係るシステム構成を示すブロック図である。
【図２】関連する方法を示すブロック図である。
【符号の説明】
【００３６】
１０１    販売者端末
１０２    消費者端末
１０３    インターネット網
１０４    ＲＦＩＤタグ
１０５    ＧＰＳ
【図１】
2009230393.tif 000003
【図２】
2009230393.tif 000004